(57)【要約】      （修正有）【課題】用紙の表面と裏面を使い易くして、経済的で環境に易しいノートを提供する。【解決手段】ノート１は、複数枚の用紙２が重ね合わされ、当該複数の用紙２が左端縁２ａ側又は右端縁２ｂ側で離脱可能に取り付けられている。前記用紙２の左端縁２ａと右端縁２ｂ近傍には、両端縁２ａ，２ｂに沿って略平行に穿設された複数の綴じ孔３，５が形成されている。前記用紙２の上端縁２ｃと下端縁２ｄ近傍には、両端縁２ｃ，２ｄに沿って略平行に穿設された複数の綴じ孔６，７が形成されている。用紙２の表面と裏面には、左右方向に伸びる横罫線Ｘと上下方向に伸びる縦罫線Ｙが形成されている。【選択図】図１
0003145703.tif 000002
【実用新案登録請求の範囲】
【請求項１】
複数枚の用紙が重ね合わされ、当該複数の用紙が左端縁側又は右端縁側で離脱可能に取り付けられたノートであって、
前記用紙の左端縁と右端縁近傍には、両端縁に沿って略平行に穿設された複数の綴じ孔が形成されていることを特徴とするノート。
【請求項２】
前記用紙の上端縁と下端縁近傍には、両端縁に沿って略平行に穿設された複数の綴じ孔が形成されていることを特徴とする請求項１記載のノート。
【請求項３】
複数枚の用紙が重ね合わされ、当該複数の用紙が上端縁側又は下端縁側で離脱可能に取り付けられたノートであって、
前記用紙の上端縁と下端縁近傍には、両端縁に沿って略平行に穿設された複数の綴じ孔が形成されていることを特徴とするノート。
【請求項４】
前記用紙の左端縁と右端縁近傍には、両端縁に沿って略平行に穿設された複数の綴じ孔が形成されていることを特徴とする請求項３記載のノート。
【請求項５】
複数枚の用紙が重ね合わされ、当該複数の用紙が左端縁側又は右端縁側で離脱可能に取り付けられたノートであって、
前記用紙の上端縁と下端縁近傍には、両端縁に沿って略平行に穿設された複数の綴じ孔が形成されていることを特徴とするノート。
【請求項６】
複数枚の用紙が重ね合わされ、当該複数の用紙が上端縁側又は下端縁側で離脱可能に取り付けられたノートであって、
前記用紙の左端縁と右端縁近傍には、両端縁に沿って略平行に穿設された複数の綴じ孔が形成されていることを特徴とするノート。
【請求項７】
用紙の表面と裏面には、左右方向に伸びる横罫線が形成されていることを特徴とする請求項１乃至６のいずれか１項に記載のノート。
【請求項８】
用紙の表面と裏面には、上下方向に伸びる縦罫線が形成されていることを特徴とする請求項１乃至６のいずれか１項に記載のノート。
【請求項９】
用紙の表面と裏面には、左右方向に伸びる横罫線と上下方向に伸びる縦罫線が形成されていることを特徴とする請求項１乃至６のいずれか１項に記載のノート。
【考案の詳細な説明】
【技術分野】
【０００１】
本考案は、複数枚の用紙が重ね合わされ、一端側が開閉可能となるように他端側が取り付けられたノートであって、用紙の端縁に沿って綴じ穴が形成されたノートに関する。
【背景技術】
【０００２】
従来、複数枚の用紙が脱離可能に取り付けられ、各用紙の端縁に沿って綴じ穴が形成されたノートが存在する（例えば、レポート用紙）。この種のノートの用紙は、一端縁に沿って略平行に二つの綴じ穴が形成され、表面のみに罫線が形成されている。当該用紙は、表面の罫線に文字等を記入した後にノートから脱離し、これの綴じ穴に、フォルダーの連結リング、綴じ紐等を通してまとめられる（例えば、特許文献１）。
【特許文献１】特開２００１−３２２３７１号公報
【考案の開示】
【考案が解決しようとする課題】
【０００３】
従来のノートの各用紙は、表面に文字等を記載して使用するが、裏面をほとんど使用しないので、無駄であると言う問題点があった。上記問題点は、綴じ穴が片側にしか設けられていないので、片側面しか使用されない。従来のノートであっても、用紙の両面を使用し易くすれば、紙の消費量が半分に減るので、資源の無駄使いを少なくすると共に、紙の製造に伴う二酸化炭素の発生を抑えることになり、経済的で環境に易しい商品となる。
【０００４】
本願考案は、上記問題点に鑑み案出したものであって、用紙の対向する両端縁に沿って複数の綴じ穴を形成することにより、用紙の表面と裏面を使い易くして、経済的で環境に易しいノートを提供することを目的とする。
【課題を解決するための手段】
【０００５】
本願請求項１に係るノートは、上記目的を達成するため、複数枚の用紙が重ね合わされ、当該複数の用紙が左端縁側又は右端縁側で離脱可能に取り付けられたノートであって、 前記用紙の左端縁と右端縁近傍には、両端縁に沿って略平行に穿設された複数の綴じ孔が形成されていることを特徴とする。
【０００６】
本願請求項２に係るノートは、上記目的を達成するため、前記用紙の上端縁と下端縁近傍には、両端縁に沿って略平行に穿設された複数の綴じ孔が形成されていることを特徴とする。
【０００７】
本願請求項３に係るノートは、上記目的を達成するため、複数枚の用紙が重ね合わされ、当該複数の用紙が上端縁側又は下端縁側で離脱可能に取り付けられたノートであって、 前記用紙の上端縁と下端縁近傍には、両端縁に沿って略平行に穿設された複数の綴じ孔が形成されていることを特徴とする。
【０００８】
本願請求項４に係るノートは、上記目的を達成するため、前記用紙の左端縁と右端縁近傍には、両端縁に沿って略平行に穿設された複数の綴じ孔が形成されていることを特徴とする。
【０００９】
本願請求項５に係るノートは、上記目的を達成するため、複数枚の用紙が重ね合わされ、当該複数の用紙が左端縁側又は右端縁側で離脱可能に取り付けられたノートであって、 前記用紙の上端縁と下端縁近傍には、両端縁に沿って略平行に穿設された複数の綴じ孔が形成されていることを特徴とする。
【００１０】
本願請求項６に係るノートは、上記目的を達成するため、複数枚の用紙が重ね合わされ、当該複数の用紙が上端縁側又は下端縁側で離脱可能に取り付けられたノートであって、 前記用紙の左端縁と右端縁近傍には、両端縁に沿って略平行に穿設された複数の綴じ孔が形成されていることを特徴とする。
【００１１】
本願請求項７に係るノートは、上記目的を達成するため、用紙の表面と裏面には、左右方向に伸びる横罫線が形成されていることを特徴とする。
【００１２】
本願請求項８に係るノートは、上記目的を達成するため、用紙の表面と裏面には、上下方向に伸びる縦罫線が形成されていることを特徴とするノート。
【００１３】
本願請求項９に係るノートは、上記目的を達成するため、用紙の表面と裏面には、左右方向に伸びる横罫線と上下方向に伸びる縦罫線が形成されていることを特徴とする。
【考案の効果】
【００１４】
本願考案に係るノートは、用紙の対向する両端縁に略平行に複数の綴じ穴が形成されているので、用紙の表面及び裏面が使用し易くなっており、その結果、紙の消費量が略半分に減るので、資源の無駄使いを少なくすると共に、紙の製造に伴う二酸化炭素の発生を抑えることになり、経済的で環境に易しいという効果がある。
【考案を実施するための最良の形態】
【００１５】
本願考案に係るノートの実施の形態を図１乃至図８に基づいて説明する。図１は、一つの実施の形態を示すノートの全体正面図である。図２は、他の実施の形態を示すノートの全体正面図である。図３は、他の実施の形態を示すノートの全体正面図である。図４は、他の実施の形態を示すノートの全体正面図である。図５は、用紙の一つの使用状態を説明する正面図である。図６は、用紙の他の使用状態を説明する正面図である。図７は、用紙の他の使用状態を説明する正面図である。図８は、用紙の他の使用状態を説明する正面図である。
【００１６】
図１に示すように、ノート１は、複数枚の用紙２が重ね合わされ、当該複数の用紙２が左端縁２ａ側又は右端縁２ｂ側で離脱可能に取り付けられている。前記用紙２の左端縁２ａと右端縁２ｂ近傍には、両端縁２ａ，２ｂに沿って略平行に穿設された複数の綴じ孔３，５が形成されている。前記用紙２の上端縁２ｃと下端縁２ｄ近傍には、両端縁２ｃ，２ｄに沿って略平行に穿設された複数の綴じ孔６，７が形成されている。用紙２の表面Ａと裏面Ｂには、左右方向に伸びる横罫線Ｘと上下方向に伸びる縦罫線Ｙが形成されている。
【００１７】
図３に示すように、ノート２１は、複数枚の用紙２２が重ね合わされ、当該複数の用紙２２が上端縁２２ｃ側又は下端縁２２ｄ側で離脱可能に取り付けられている。 前記用紙２２の上端縁２２ｃと下端縁２２ｄ近傍には、両端縁２２ｃ，２２ｄに沿って略平行に穿設された複数の綴じ孔２６,２７が形成されている。前記用紙２２の左端縁２２ａと右端縁２２ｂ近傍には、両端縁２２ａ，２２ｂに沿って略平行に穿設された複数の綴じ孔２３，２５が形成されている。用紙２２の表面Ａと裏面Ｂには、左右方向に伸びる横罫線Ｘと上下方向に伸びる縦罫線Ｙが形成されている。
【００１８】
さらに、ノート１について詳細に説明する。図１に示すように、ノート１は、複数枚の用紙２が重ね合わされ、当該複数の用紙２が左端縁２ａ側又は右端縁２ｂ側で離脱可能に取り付けられている。用紙２は、複数枚で重ね合わされ、左端縁２ａが接着材により剥離可能に接着され、右端縁２ｂが開閉できるようになっている。なお、用紙２は、右端縁２ｂが接着材により剥離可能に接着され、左端縁２ａが開閉できるようになっていても構わない。この用紙２の左端縁２ａ近傍には、左端縁２ａに沿って略平行に複数の綴じ孔３，３が穿設されている。また、用紙２の右端縁２ｂ近傍には、右端縁２ｂに沿って略平行に複数の綴じ孔５，５が穿設されている。さらに、用紙２の上端縁２ｃ近傍には、上端縁２ｃに沿って略平行に複数の綴じ孔６，６が穿設されている。用紙２の下端縁２ｄ近傍には、下端縁２ｄに沿って略平行に複数の綴じ孔７，７が穿設されている。
【００１９】
図２に示すように、ノート１１は、複数枚の用紙１２が重ね合わされ、当該複数の用紙１２が左端縁１２ａ側又は右端縁１２ｂ側で離脱可能に取り付けられている。即ち、用紙１２は、左端縁１２ａにミシン目等の切取線１９を介して接続片１４が形成され、複数枚で重ね合わされて、接続片１４がコイルリング１８により取り付けられ、右端縁１２ｂが開閉できるようになっている。なお、用紙１２は、右端縁１２ｂ側がコイルリング１８により取り付けられ、左端縁１２ａが開閉できるようになっていても構わない。この用紙１２の左端縁１２ａ近傍には、左端縁１２ａに沿って略平行に複数の綴じ孔１３，１３が穿設されている。また、用紙１２の右端縁１２ｂ近傍には、右端縁１２ｂに沿って略平行に複数の綴じ孔１５，１５が穿設されている。さらに、用紙１２の上端縁１２ｃ近傍には、上端縁１２ｃに沿って略平行に複数の綴じ孔１６，１６が穿設されている。用紙１２の下端縁１２ｄ近傍には、下端縁１２ｄに沿って略平行に複数の綴じ孔１７，１７が穿設されている。
【００２０】
図３に示すように、ノート２１は、複数枚の用紙２２が重ね合わされ、当該複数の用紙２２が上端縁２２ｃ側又は下端縁２２ｄ側で離脱可能に取り付けられている。即ち、用紙２２は、複数枚で重ね合わされ、上端縁２２ｃが接着材により剥離可能に接着され、下端縁２２ｄが開閉できるようになっている。なお、用紙２２は、下端縁２２ｄが接着材により剥離可能に接着され、上端縁２２ｃが開閉できるようになっていても構わない。この用紙２２の上端縁２２ｃ近傍には、上端縁２２ｃに沿って略平行に複数の綴じ孔２６，２６が穿設されている。また、用紙２２の下端縁２２ｄ近傍には、下端縁２２ｄに沿って略平行に複数の綴じ孔２７，２７が穿設されている。さらに、用紙２２の左端縁２２ａ近傍には、左端縁２２ａに沿って略平行に複数の綴じ孔２３，２３が穿設されている。用紙２２の右端縁２２ｂ近傍には、右端縁２２ｂに沿って略平行に複数の綴じ孔２５，２５が穿設されている。
【００２１】
図４に示すように、ノート３１は、複数枚の用紙３２が重ね合わされ、当該複数の用紙３２が上端縁３２ｃ側又は下端縁３２ｄ側で離脱可能に取り付けられている。即ち、用紙３２は、上端縁３２ｃにミシン目等の切取線３９を介して接続片３４が形成され、複数枚で重ね合わされて、接続片３４がコイルリング３８により取り付けられ、下端縁３２ｄが開閉できるようになっている。なお、用紙３２は、下端縁３２ｄ側がコイルリング３８により取り付けられ、上端縁３２ｃが開閉できるようになっていても構わない。この用紙３２の上端縁３２ｃ近傍には、上端縁３２ｃに沿って略平行に複数の綴じ孔３６，３６が穿設されている。また、用紙３２の下端縁３２ｄ近傍には、下端縁３２ｄに沿って略平行に複数の綴じ孔３７，３７が穿設されている。さらに、用紙３２の左端縁３２ａ近傍には、左端縁３２ａに沿って略平行に複数の綴じ孔３３，３３が穿設されている。用紙３２の右端縁３２ｂ近傍には、右端縁３２ｂに沿って略平行に複数の綴じ孔３５，３５が穿設されている。
【００２２】
前記各用紙２，１２，２２，３２の表面Ａと裏面Ｂには、左右方向に伸びる横罫線Ｘと、上下方向に伸びる縦罫線Ｙが形成されている。従って用紙２，１２，２２，３２は、図５乃至図８に示すように、綴じ穴を利用してまとめることができる。例えば、図５（ａ）に示すように、用紙２の左端縁２ａ側の綴じ穴３,３をフォルダーＦの連結リングＲを通してまとめ、展開すると、図５（ｂ）に示すように、用紙２の裏面ＢがフォルダーＦの左側の位置となり、用紙２の表面ＡがフォルダーＦの右側の位置となって、用紙２の両面Ａ、Ｂが使用される。
【００２３】
また、図６（ａ）に示すように、用紙１２の右端縁１２ｂ側の綴じ穴１５,１５をフォルダーＦの連結リングＲを通してまとめ、展開すると、図６（ｂ）に示すように、用紙１２の表面ＡがフォルダーＦの左側の位置となり、用紙１２の裏面ＢがフォルダーＦの右側の位置となって、用紙１２の両面Ａ、Ｂが使用される。
【００２４】
また、図７（ａ）に示すように、用紙２２の上端縁２２ｃ側の綴じ穴２６,２６をフォルダーＦの連結リングＲを通してまとめ、展開すると、図７（ｂ）に示すように、用紙２２の裏面ＢがフォルダーＦの上側の位置となり、用紙２２の表面ＡがフォルダーＦの下側の位置となって、用紙２２の両面Ａ、Ｂが使用される。
【００２５】
また、図８（ａ）に示すように、用紙３２の下端縁３２ｄ側の綴じ穴３７,３７をフォルダーＦの連結リングＲを通してまとめ、展開すると、図８（ｂ）に示すように、用紙３２の表面ＡがフォルダーＦの上側の位置となり、用紙３２の裏面ＢがフォルダーＦの下側の位置となって、用紙３２の両面Ａ、Ｂが使用される。
【００２６】
上記したように本願考案に係るノートは、用紙の表面及び裏面を隈なく利用することができるので、資源の無駄使いを少なくして経済的であり、同時に、紙の消費量を略半分に減らすことができるので、紙の製造に伴う二酸化炭素の発生を抑えることになり、環境に易しい構成となっている。上記実施の形態では、各用紙が接着材、コイルリング等で一端側が取り付けられているが、糸による縫製により取り付けても構わないのは勿論である。
【産業上の利用可能性】
【００２７】
本願考案に係るノートは、剥離し易いレポート用紙に利用可能である。
【図面の簡単な説明】
【００２８】
【図１】一つの実施の形態を示すノートの全体正面図である。
【図２】他の実施の形態を示すノートの全体正面図である。
【図３】他の実施の形態を示すノートの全体正面図である。
【図４】他の実施の形態を示すノートの全体正面図である。
【図５】用紙の一つの使用状態を説明する正面図である。
【図６】用紙の他の使用状態を説明する正面図である。
【図７】用紙の他の使用状態を説明する正面図である。
【図８】用紙の他の使用状態を説明する正面図である。
【符号の説明】
【００２９】
Ａ  表面
Ｂ  裏面
Ｘ  横罫線
Ｙ  縦罫線
Ｆ  フォルダー
Ｒ  リング
１  ノート
２  用紙
２ａ  左端縁
２ｂ  右端縁
２ｃ  上端縁
２ｄ  下端縁
３  綴じ孔
５  綴じ孔
６  綴じ孔
７  綴じ孔
１１  ノート
１２  用紙
１２ａ  左端縁
１２ｂ  右端縁
１２ｃ  上端縁
１２ｄ  下端縁
１３  綴じ孔
１４  接続片
１５  綴じ孔
１６  綴じ孔
１７  綴じ孔
１８  コイルリング
１９  切取線
２１  ノート
２２  用紙
２２ａ  左端縁
２２ｂ  右端縁
２２ｃ  上端縁
２２ｄ  下端縁
２３  綴じ孔
２５  綴じ孔
２６  綴じ孔
２７  綴じ孔
３１  ノート
３２  用紙
３２ａ  左端縁
３２ｂ  右端縁
３２ｃ  上端縁
３２ｄ  下端縁
３３  綴じ孔
３４  接続片
３５  綴じ孔
３６  綴じ孔
３７  綴じ孔
３８  コイルリング
３９  切取線
【図１】
0003145703.tif 000003
【図２】
0003145703.tif 000004
【図３】
0003145703.tif 000005
【図４】
0003145703.tif 000006
【図５】
0003145703.tif 000007
【図６】
0003145703.tif 000008
【図７】
0003145703.tif 000009
【図８】
0003145703.tif 000010